(57)【要約】【課題】支持体の撓みによる影響を緩和してＬＥＤ基板を安定して支持する構造を備える照明装置を提供する。【解決手段】ＬＥＤ５，５…が一面に実装されたＬＥＤ基板４，４…と、ＬＥＤ基板４，４…を支持するフレーム２とを備える照明装置において、ＬＥＤ基板４，４…及びフレーム２間に介装された放熱板３を備え、ＬＥＤ基板４，４…を他面の全面にて放熱板３に取付けることにより、ＬＥＤ基板４，４…及び放熱板３間の伝熱面積を大きくしている。また、フレーム２に放熱板３の側に突出する突出面２ｅ，２ｅ…を設け、突出面２ｅ，２ｅ…に放熱板３を取付けて、放熱板３とフレーム２とを突出面２ｅ，２ｅ…にて密着させることにより熱伝達を良好にしている。ＬＥＤ５，５…にて発生した熱は、ＬＥＤ基板４，４…及び放熱板３を介してフレーム２に効率良く伝達されてフレーム２から外部に放熱されるから、放熱性を向上することができる。【選択図】図４
2009004131.tif 000002
【特許請求の範囲】
【請求項１】
複数のＬＥＤが装着されたＬＥＤ基板を支持体で支持する照明装置において、
前記支持体は補強面を有し、
前記ＬＥＤ基板は、前記補強面に面的に当接してなることを特徴とする照明装置。
【請求項２】
前記ＬＥＤ基板は、前記ＬＥＤからの熱を前記支持体に伝える放熱板を介して前記補強面に当接してなることを特徴とする請求項１に記載の照明装置。
【請求項３】
複数のＬＥＤが装着されたＬＥＤ基板と、該ＬＥＤ基板を支持する支持体と、前記ＬＥＤからの熱を支持体に伝える放熱板とを有する照明装置において、
前記支持体は、前記放熱板を補強して支持する補強面を有し、
前記ＬＥＤ基板と前記放熱板及び前記放熱板と前記補強面が夫々、面を当接して積層されることを特徴とする照明装置。
【請求項４】
前記補強面は、前記支持体から前記ＬＥＤ基板の側に突出した面であることを特徴とする請求項１から３の何れかに記載の照明装置。
【請求項５】
前記補強面は複数面からなり、
前記複数の補強面により、前記ＬＥＤ基板および／または前記放熱板を支持していることを特徴とする請求項１から４の何れかに記載の照明装置。
【請求項６】
前記放熱板は一枚の平板であることを特徴とする請求項２から５の何れか一つに記載の照明装置。
【発明の詳細な説明】
【技術分野】
【０００１】
本発明は、発光ダイオード（以下、ＬＥＤという）を光源とした照明装置に関する。
【背景技術】
【０００２】
従来、室内又は屋外の照明用の光源として、白熱電球及び蛍光灯が主として用いられている。近年、これらの光源に代えて、低消費電力かつ長寿命であるという特徴を有するＬＥＤを光源として用いた照明装置が種々提案されている(例えば、特許文献１参照）。
【０００３】
特許文献１に開示された照明装置は、複数のＬＥＤをその端子により起立させた状態にてＬＥＤ基板に取付けて、扁平な直方体状の外装材の一面に形成された複数の貫通孔に前記複数のＬＥＤを差し込むことにより、ＬＥＤの取付け姿勢を支持するように構成されている。ＬＥＤ基板は、基板背面の長手方向に沿う両端部の一部に、断面Ｌ字形状のアルミニウム製の補強部材を介することにより、外装材の内部に位置決めして取付けられている。
【特許文献１】特開２００４−３０３６１４号公報
【発明の開示】
【発明が解決しようとする課題】
【０００４】
しかし、上記従来の照明装置においては、ＬＥＤ基板の一部のみにしか補強部材を当てておらず、ＬＥＤ基板を十分に補強して支持できていないという問題があった。特に、基板内に設けられるＬＥＤ基板及び電源回路等の重みまたは外部からの衝撃によって、外装材（照明装置の筐体である支持体）に撓みが生じた場合において、ＬＥＤ基板を安定して支持することができていなかった。
【０００５】
また、複数のＬＥＤを用いる照明装置においては、ＬＥＤにより発生する熱量が大きくなるため、ＬＥＤの温度が上昇して、封止樹脂の劣化が早くなりＬＥＤの寿命特性が悪化すると共に、発光効率が低下し、必要な光量を確保し難くなるという問題が生じる虞があった。
【０００６】
本発明は斯かる事情に鑑みてなされたものであり、支持体の撓みによる影響を緩和してＬＥＤ基板を安定して支持する構造を備える照明装置を提供することを目的とする。また、さらに別の目的としては、ＬＥＤからの発熱を支持体に効率良く伝達して、放熱性を向上することができる照明装置を提供することである。
【課題を解決するための手段】
【０００７】
本発明に係る照明装置は、複数のＬＥＤが装着されたＬＥＤ基板を支持体で支持する照明装置において、支持体は補強面を有し、ＬＥＤ基板は、補強面に面的に当接してなることを特徴とする。
【０００８】
本構成により、支持体の撓みによる影響を緩和してＬＥＤ基板を安定して支持することが可能となる。
【０００９】
本発明に係る照明装置は、さらに、ＬＥＤ基板は、ＬＥＤからの熱を支持体に伝える放熱板を介して補強面に当接してなることを特徴とする。
【００１０】
本構成により、ＬＥＤからの発熱を支持体に効率良く伝達して、放熱性を向上することが可能となる。
【００１１】
本発明に係る照明装置は、複数のＬＥＤが装着されたＬＥＤ基板と、ＬＥＤ基板を支持する支持体と、ＬＥＤからの熱を支持体に伝える放熱板とを有する照明装置において、支持体は、放熱板を補強して支持する補強面を有し、ＬＥＤ基板と放熱板及び放熱板と補強面が夫々、面を当接して積層されることを特徴とする。
【００１２】
本構成により、支持体の撓みによる影響を緩和してＬＥＤ基板を安定して支持し、かつ
ＬＥＤからの発熱を支持体に効率良く伝達して放熱性を向上することが可能となる。
【００１３】
本発明に係る照明装置は、さらに、補強面は、支持体からＬＥＤ基板の側に突出した面であることを特徴とする。
【００１４】
本構成により、照明装置の支持体外部に突出されることなく、放熱板またはＬＥＤ基板を補強し支持する補強面を設けることができる。
【００１５】
本発明に係る照明装置は、さらに、補強面は複数面からなり、複数の補強面により、ＬＥＤ基板および／または放熱板を支持していることを特徴とする。
【００１６】
本構成により、一面で放熱板を支持するのではなく、バランスを取って部分的に支持することにより、支持体の撓みに沿ってそのまま放熱板が撓むことなく、支持体と放熱板の間の空間にて撓みを吸収して緩和し、安定して放熱板を支持する事が可能となる。
【００１７】
本発明に係る照明装置は、さらに、放熱板は一枚の平板であることを特徴とする。
【００１８】
本構成により、本発明に係る照明装置は、一枚の平板を放熱板として用いており、放熱板の形状を適切に選定することにより、放熱性を向上することができる共に、支持体を補強して支持体が撓むことを防止することができる。
【発明の効果】
【００１９】
本発明によれば、ＬＥＤ基板、放熱板及び支持体を階層的に密接して設けているから、ＬＥＤからの熱を支持体に効率良く伝達して、放熱性を向上することができる。
【発明を実施するための最良の形態】
【００２０】
以下、本発明をその実施の形態を示す図面に基づいて詳述する。
（実施の形態１）
図１は、本発明の実施の形態１に係る照明装置を示す斜視図であり、図２は、実施の形態１に係る照明装置の分解斜視図である。図３は、実施の形態１に係る照明装置の外観図であり、図４は図３のIV−IV線による部分断面図である。
【００２１】
図において１は、樹脂製または金属製の外形フレームであり、外形フレーム１は、矩形窓を有する矩形枠部１ａと、該矩形枠部１ａの端縁から略直交して一方向に延びる矩形状の４側壁１ｂ，１ｂ…とを備えている。
【００２２】
この外形フレーム１には、図１に示すように、金属製のフレーム（支持体）２が内嵌してあり、外形フレーム１及びフレーム２により照明装置の外装材を構成している。
【００２３】
フレーム２は、図２に示すように、矩形状の底板２ａと、該底板２ａの端縁から略直交して延びる矩形状の複数の立ち上がり部２ｂ，２ｂ，２ｃ,２ｃ,２ｄ，２ｄ…とを備えている。底板２ａには、立ち上がり部２ｂ，２ｂ，２ｃ,２ｃ,２ｄ，２ｄ…と同方向（ＬＥＤ基板が取付けられる側の方向）に突出する矩形状の突出面２ｅ，２ｅ…が底板２ａの４辺に沿うように夫々形成してある。突出面２ｅ，２ｅ…は、例えばプレス加工等により、図４に示すように、同一の肉厚にて出っ張らせるように形成されており、底面と平行をなす平面である。また、突出面２ｅ，２ｅ…には、ねじ穴２ｆ，２ｆ…が夫々４箇所設けてある。
【００２４】
フレーム２の突出面２ｅ，２ｅ…にはアルミニウム製の放熱板３を面的に当接して取付けてあり、複数の突出面２ｅは放熱板３を補強して支持する補強面である。複数の突出面２ｅは同一の肉厚であるので、複数の突出面２ｅで放熱板３を支持しても、放熱板３を、支持体２の底板２ａに平行に保つことができる。さらに、一つの面で全面的に放熱板３を支持するのではなく、複数の突出面２ｅにて、バランスを取って部分的に支持することにより、支持体２の撓みに沿ってそのまま放熱板３が撓むことなく、支持体２と放熱板３の間の空間にて撓みを吸収して緩和し、安定して放熱板３を支持する事が可能となる。
【００２５】
放熱板３は、フレーム２の底板２ａより若干小さい矩形状の平板であり、放熱板３には、中央部分に矩形窓３ａが形成されている。また、放熱板３には、フレーム２の突出面２ｅ，２ｅ…に設けられたねじ穴２ｆ，２ｆ…に対応する位置に貫通孔３ｂ，３ｂ…が夫々設けてある。更に、放熱板３には、ＬＥＤ基板を取付けるためのねじ穴３ｃ，３ｃ…が設けてある。
【００２６】
放熱板３には、図１に示すように、細長い矩形状の複数（図において８つ）のＬＥＤ基板４，４…が放熱板３の形状に沿うように配してある。ＬＥＤ基板４，４…は、ガラス繊維を含有するエポキシ樹脂製の平板であり、熱伝導性を良好にするために肉厚を薄くしてある。
【００２７】
ＬＥＤ基板４，４…には、複数個直列に接続されたＬＥＤ５，５…が４列並列に配して実装してある。図中に直方体にて示しているＬＥＤ５，５…は、ＬＥＤ素子と、外気から遮断すべく、該ＬＥＤ素子を封止する封止樹脂と、入力及び出力電極とを備えてなる表面実装型ＬＥＤである。
【００２８】
このようなＬＥＤ基板４，４…は、該ＬＥＤ基板４，４…の４隅に夫々設けられた貫通孔（図示せず）にねじ４１，４１…を挿通させて、ねじ４１，４１…を放熱板３に設けられたねじ穴３ｃ，３ｃ…に螺合させることにより、放熱板３に取付けてある。これにより、ＬＥＤ基板４，４…は、非実装側の全面にて放熱板３に密着して接することになるから、ＬＥＤ基板４，４…及び放熱板３間の伝熱面積を大きくすることができると共に、ＬＥＤ基板４，４…の撓みを防止することができる。
【００２９】
ＬＥＤ基板４，４…の非実装側の面には、ＬＥＤ基板４，４の表面に実装されるＬＥＤ５，５…の位置に対応して、放熱用の金属パターン（図示せず）が形成してある。なお、ＬＥＤ基板４，４…と放熱板３との間には、熱伝導シート又はグリースを介装する方が望ましい。また、例えばスルーホール等にて導通することによりＬＥＤ基板４，４…に回路を形成する場合は、ＬＥＤ基板４，４…と放熱板３との間を絶縁すべく、熱伝導性樹脂（例えば、ポリフェニレンサルファイド樹脂）製の伝熱シートを用いることが好ましい。
【００３０】
更に、ＬＥＤ基板４，４…が取付けられた放熱板３は、ＬＥＤ基板４，４…の長手方向に等配をなして各２箇所に設けられた貫通孔（図示せず）、放熱板３に設けられた貫通孔３ｂ，３ｂ…及びフレーム２の突出面２ｅ，２ｅ…に設けられたねじ穴２ｆ，２ｆ…に、ねじ４２，４２…を螺合させることにより、図４に示す如く、フレーム２の突出面２ｅ，２ｅ…に密着させて取付けてある。これにより、ＬＥＤ５，５…からＬＥＤ基板４，４…を介して放熱板３に伝達された熱は、放熱板３に密着している突出面２ｅ，２ｅ…に効率良く伝達することができる。また、ＬＥＤ基板４、放熱板３及び突出面２ｅ，２ｅ…に対応するねじ穴を設けて共通のねじ４２にて一体的に固定しているので、それぞれの当接する面の密着性が向上する。さらに、共通のねじ４２を用いることにより、部品点数の削減と製造の容易化が可能となる。
【００３１】
なお、図２に示す如く、フレーム２の突出面２ｅ，２ｅ…のねじ穴２ｆ，２ｆ…は、突出面２ｅ，２ｅ…の長手方向の両端から等しい位置に設けており、これによりフレーム２の突出面２ｅ，２ｅ…及びＬＥＤ基板４，４…の長手方向の中心位置を略一致させてある。
【００３２】
フレーム２には、ＬＥＤ５，５…が実装されたＬＥＤ基板４，４…を覆うように、図２に示す如く、扁平なＵ字形の断面形状を有する拡散板６が設けてある。拡散板６は、矩形の平板６ａと、該平板６ａの両端から直交する方向に延びる矩形の２側壁６ｂ，６ｂとを備えている。拡散板６は、フレーム２の立ち上がり部２ｂ，２ｂの間に２側壁６ｂ，６ｂにて嵌め込まれており、この状態にて、外形フレーム１及びフレーム２が嵌めあわされることにより固定されている。拡散板６は、拡散剤が添加された乳白色の樹脂である。拡散板６の樹脂中に添加された拡散剤により、屈折率の不連続変化箇所が樹脂中に存在することになり、この屈折率の不連続変化箇所にてＬＥＤ５，５…からの光が散乱されるから、ＬＥＤ５，５…からの光が和らげられることになる。
【００３３】
なお、図示していないが、照明装置の内部の中央部近傍には、電源回路部品が実装された基板が取付けてある。電源回路部品は、交流電流を直流電流に整流する全波整流部とＬＥＤ５，５…の順電流を一定にする定電流部とを備えている。
【００３４】
以上のように構成された照明装置は、例えば、円環状の蛍光灯（例えば、サークライン（登録商標）型蛍光灯）の代替として、拡散板６の側が下になるように天井に取付けられ、商用電源に接続される。電源の投入に伴い電源回路にて整流された直流電流が、ＬＥＤ５，５…に供給され、ＬＥＤ５，５…が点灯する。
【００３５】
本実施の形態に係る照明装置において、ＬＥＤ５，５…の発光に伴って、ＬＥＤ５，５…が発する熱は、ＬＥＤ基板４，４…及び放熱板３を介してフレーム２に伝達され、フレーム２から外部に放熱される。
【００３６】
ＬＥＤ基板４，４…を非実装側の全面にて放熱板３に取付けて、ＬＥＤ基板４，４…及び放熱板３間の伝熱面積を大きくしているから、ＬＥＤ５，５…にて発生した熱を、ＬＥＤ基板４，４…を介して放熱板３に効率良く伝達することができ、放熱性を向上することができる。
【００３７】
また、フレーム２に設けた突出面２ｅ，２ｅ…に放熱板３を取付けることにより、放熱板３とフレーム２とを突出面２ｅ，２ｅ…にて密着させているから、ＬＥＤ５，５…にて発生した熱を、放熱板３を介してフレーム２に効率良く伝達してフレーム２から外部に放熱することができ、放熱性を更に向上することができる。
【００３８】
なお、ＬＥＤ基板４と放熱板３及び放熱板３と突出面２ｅが夫々、面を当接して一体的に密着して積層されているので、効率的な熱伝達とＬＥＤ基板の安定的な支持がなされている。
【００３９】
また、フレーム２の突出面２ｅ，２ｅ…とＬＥＤ基板４，４…の長手方向の中心位置を略一致させているから、高温になりやすいＬＥＤ基板４，４…の中心寄りに位置するＬＥＤ５，５…にて発生した熱をフレーム２に効率良く伝達することができる。
【００４０】
また、一枚の平板を放熱板３として用いており、ＬＥＤ基板４，４…により発熱量に不均衡がある場合に、放熱板３にて不均衡が緩和されるから、一部のＬＥＤ５，５…が高温になることを抑制することができる。
【００４１】
更に、ＬＥＤ基板４，４…が全面にて放熱板３に密着させて取付けてあるから、ＬＥＤ基板４，４…の撓みを防止することができる。フレーム２に突出面２ｅ，２ｅ…を設けることにより、平板にするよりも同じ肉厚で強度を増すことができ、軽量化を図りつつ、フレーム２が撓むことを防止することができる。放熱板３をフレーム２の底板２ａより若干小さい一枚の平板としており、フレーム２の補強部材としての役割も果たすから、軽量化を図りつつ、フレーム２が撓むことを防止することができる。
【００４２】
なお、本実施の形態において、ＬＥＤ基板４，４…をフレーム２の周辺に沿うように配置しているが、これに限定されないのは言うまでもない。
【００４３】
また、放熱板３とＬＥＤ基板４，４…の配置面積とを略等しくしているが、放熱板３の面積をより大きくする方が望ましい。このとき、突出面２ｅ，２ｅ…の面積を併せて大きくすることがより望ましい。
【００４４】
（実施の形態２）
図５は、本発明の実施の形態２に係る照明装置を示す斜視図であり、図６は、実施の形態２に係る照明装置の分解斜視図である。図７は、実施の形態２に係る照明装置の外観図であり、図８は図７のVIII−VIII線による部分断面図である。
【００４５】
図において１２は、金属製のフレームであり、フレーム１２は、細長い矩形状の底板１２ａと、該底板１２ａの端縁から略直交して延びる複数の立ち上がり部１２ｂ，１２ｂ，１２ｃ，１２ｄ，１２ｄとを備えている。底板１２ａには、立ち上がり部１２ｂ，１２ｂ，１２ｃ，１２ｄ，１２ｄと同方向の側に突出する矩形状の突出面１２ｅ，１２ｅ…が底板１２ａの２つの長辺に沿うように夫々形成してある。突出面１２ｅ，１２ｅ…は、例えばプレス加工等により、図８に示すように、同一の肉厚にて出っ張らせるように形成されており、底面と平行をなす平面である。また、突出面１２ｅ，１２ｅ…には、図６に示すように、ねじ穴１２ｆ，１２ｆ…が夫々４箇所設けてある。
【００４６】
フレーム１２の突出面１２ｅ，１２ｅ…には、アルミニウム製の放熱板１３が取付けてある。放熱板１３は、フレーム１２の底板１２ａより若干小さい矩形状の平板であり、放熱板１３には、中央部分に矩形窓１３ａが形成されている。また、放熱板１３には、フレーム１２の突出面１２ｅ，１２ｅ…に設けられたねじ穴１２ｆ，１２ｆ…に対応する位置に貫通孔１３ｂ，１３ｂ…が夫々設けてある。更に、放熱板１３には、ＬＥＤ基板を取付けるためのねじ穴１３ｃ，１３ｃ…が設けてある。
【００４７】
放熱板１３には、図５に示すように、ＬＥＤ５，５…が実装された細長い矩形状の複数（図において８つ）のＬＥＤ基板４，４…が放熱板１３の２つの長辺に沿うように配してある。ＬＥＤ基板４，４…及びＬＥＤ５，５…については、実施の形態１と同様であるので、詳細な説明は省略する。
【００４８】
このようなＬＥＤ基板４，４…は、該ＬＥＤ基板４，４…の４隅に設けられた貫通孔（図示せず）に、ねじ４５，４５…を挿通させて、ねじ４５，４５…を放熱板１３に設けられたねじ穴１３ｃ，１３ｃ…に螺合させることにより、ＬＥＤ基板４，４…の非実装側の全面を放熱板１３に密着させて取付けてある。
【００４９】
更に、ＬＥＤ基板４，４…が取付けられた放熱板１３は、ＬＥＤ基板４，４…の長手方向に等配をなして各２箇所に設けられた貫通孔（図示せず）、放熱板１３に設けられた貫通孔１３ｂ，１３ｂ…及びフレーム１２の突出面１２ｅ，１２ｅ…に設けられたねじ穴１２ｆ，１２ｆ…に、ねじ４６，４６…を螺合させることにより、図８に示す如く、フレーム１２の突出面１２ｅ，１２ｅ…に放熱板１３を密着させて取付けてある。なお、図６に示す如く、フレーム１２の突出面１２ｅ，１２ｅ…のねじ穴１２ｆ，１２ｆ…は、突出面１２ｅ，１２ｅ…の長手方向の両端から等しい位置に設けてあり、これによりフレーム１２の突出面１２ｅ，１２ｅ…及びＬＥＤ基板４，４…の長手方向の中心位置を略一致させてある。
【００５０】
フレーム１２の一端側には、電源回路部品１８が実装された電源回路基板１８ａが取付けてある。電源回路基板１８ａは、矩形の平板であり、フレーム１２にねじ止めしてある。電源回路部品は、交流電流を直流電流に整流する全波整流部とＬＥＤ５,５…の順電流を一定にする定電流部とを備えている。
【００５１】
更に、フレーム１２には、ＬＥＤ５，５…が実装されたＬＥＤ基板４，４…を覆うように、図６に示す如く、扁平なＵ字形の断面形状を有する拡散板１６が設けてある。拡散板１６は、矩形の平板１６ａと、該平板１６ａの両端から直交する方向に延びる矩形の２側壁１６ｂ，１６ｂとを備えている。拡散板１６は、２側壁１６ｂ，１６ｂ間に、フレーム１２の立ち上がり部１２ｂ，１２ｂを嵌め込むことにより、フレーム１２に取付けてある。
【００５２】
拡散板１６が取付けられたフレーム１２の長手方向の両端部には、押さえ部１７ａ，１７ｂが夫々両側から差し込まれ、フレーム１２に固定してある。
【００５３】
以上のように構成された照明装置は、例えば、直管型の蛍光灯の代替として、拡散板１６の側が下になるように天井に取付けられ、商用電源に接続される。電源の投入に伴い電源回路にて整流された直流電流が、ＬＥＤ５，５…に供給され、ＬＥＤ５，５…が点灯する。
【００５４】
本実施の形態に係る照明装置において、ＬＥＤ５，５…の発光に伴って、ＬＥＤ５，５…が発する熱は、ＬＥＤ基板４，４…及び放熱板１３を介してフレーム１２に伝達され、フレーム１２から外部に放熱される。
【００５５】
ＬＥＤ基板４，４…を非実装側の全面にて放熱板１３に取付けて、ＬＥＤ基板４，４…及び放熱板１３間の伝熱面積を大きくすると共に、フレーム１２に設けた突出面１２ｅ，１２ｅ…に放熱板１３を取付けることにより、放熱板１３とフレーム１２とを突出面１２ｅ，１２ｅ…にて密着させて熱伝達を良好にしているから、ＬＥＤ５，５…にて発生した熱を、ＬＥＤ基板４，４…及び放熱板１３を介してフレーム１２に効率良く伝達してフレーム１２から外部に放熱することができ、放熱性を向上することができる。
【００５６】
また、フレーム１２の突出面１２ｅ，１２ｅ…とＬＥＤ基板４，４…の長手方向の中心位置を略一致させているから、高温になりやすいＬＥＤ基板４，４…の中心寄りに位置するＬＥＤ５，５…にて発生した熱をフレーム１２に効率良く伝達することができる。
【００５７】
また、一枚の平板を放熱板１３として用いており、ＬＥＤ基板４，４…により発熱量に不均衡がある場合に、放熱板１３にて不均衡が緩和されるから、一部のＬＥＤ５，５…が高温になることを抑制することができる。放熱板１２の面積をＬＥＤ基板４，４…の配置面積よりも大きくして、放熱面積を大きくしているから、放熱性をより向上することができる。
【００５８】
更に、ＬＥＤ基板４，４…が全面にて放熱板１３に密着させて取付けてあるから、ＬＥＤ基板４，４…の撓みを防止することができる。フレーム１２に突出面１２ｅ，１２ｅ…を設けることにより、平板にするよりも同じ肉厚で強度を増すことができ、軽量化を図りつつ、フレーム１２が撓むことを防止することができる。放熱板１３をフレーム１２の底板２ａより若干小さい一枚の平板としており、部品点数の削減を図ると共に、軽量化を図りつつ、フレーム１２が撓むことを防止することができる。
【００５９】
なお、以上の第１と第２の実施の形態において、フレーム及び放熱板の素材として、熱伝導性の良いアルミニウムを用いているが、他の金属でも熱伝導性が良い素材であれば、好適に用いることができる。また、金属に限らず、樹脂等であってもよい。フレームの素材として、強度のある素材を用いれば、フレームの強度を上げる効果があり、照明装置の信頼性の面からより望ましい。
【００６０】
また、一枚の放熱板に全てのＬＥＤ基板４，４…を取付けているが、これに限定されず、複数の放熱板を用い、例えば、一枚の放熱板に２又は４枚のＬＥＤ基板４，４…を取付けるようにしてもよい。また、ＬＥＤ基板４に十分な放熱性があれば、放熱板を介せず直接突出面にＬＥＤ基板４を面的に当接することも可能である。
【００６１】
また、突出面の形状は、上記実施形態の形状に限られるものではなく、フレームの形状、放熱板の形状及びＬＥＤ基板の形状等の条件により、別の形状であってもよい。さらに突出面の数も、放熱板をバランスよく補強し支持できる数であればよく、設ける位置は対称性があることが好ましい。
【００６２】
更に、本発明は、その他、特許請求の範囲に記載した事項の範囲内において種々変更した形態にて実施することが可能であることは言うまでもない。
【図面の簡単な説明】
【００６３】
【図１】本発明の実施の形態１に係る照明装置を示す斜視図である。
【図２】実施の形態１に係る照明装置の分解斜視図である。
【図３】実施の形態１に係る照明装置の外観図である。
【図４】図３のIV−IV線による部分断面図である。
【図５】本発明の実施の形態２に係る照明装置を示す斜視図である。
【図６】実施の形態２に係る照明装置の分解斜視図である。
【図７】実施の形態２に係る照明装置の外観図である。
【図８】図７のVIII−VIII線による部分断面図である。
【符号の説明】
【００６４】
１            外形フレーム
２，１２      フレーム（支持体）
２ｅ，１２ｅ  突出面（補強面）
３，１３      放熱板
４            ＬＥＤ基板
５            ＬＥＤ
６，１６      拡散板
【図１】
2009004131.tif 000003
【図２】
2009004131.tif 000004
【図３】
2009004131.tif 000005
【図４】
2009004131.tif 000006
【図５】
2009004131.tif 000007
【図６】
2009004131.tif 000008
【図７】
2009004131.tif 000009
【図８】
2009004131.tif 000010